(57)【要約】  課題：複数の発熱部品それぞれに適切な量の冷却風を送ることができ、カメラ筐体内部の冷却効率が高められると共に、カメラマンがファンから発せられる騒音、排出される暖気およびカメラ筐体の温度上昇などに影響されることなくカメラ操作が行える放送用ポータブルカメラを提供する。  解決手段：筐体内に複数の発熱部品を内蔵し、前記筐体内底面に冷却用のファンを配設し、前記ファンを用いて前記発熱部品の排熱を前記筐体底面からおこなう放送用ポータブルカメラにおいて、前記ファンの吸気側を包み込むように壁面に覆われたボックスを有し、前記ボックスの上面または側面に前記発熱部品が配設されるとともに、当該発熱部品の配設位置と発熱量に対応した開口が前記ボックスに複数設けられたことを特徴とする。
2016143444.tif 000002
【特許請求の範囲】
【請求項１】
筐体内に複数の発熱部品を内蔵し、前記筐体内底面に冷却用のファンを配設し、前記ファンを用いて前記発熱部品の排熱を前記筐体底面からおこなう放送用ポータブルカメラにおいて、
前記ファンの吸気側を包み込むように壁面に覆われたボックスを有し、
前記ボックスの上面または側面に前記発熱部品が配設されるとともに、当該発熱部品の配設位置と発熱量に対応した開口が前記ボックスに複数設けられたことを特徴とする放送用ポータブルカメラ。
【請求項２】
請求項１記載の放送用ポータブルカメラであって、
前記ファンを配設した前記筐体の上部面に吸気口を設けたことを特徴とする放送用ポータブルカメラ。
【請求項３】
請求項２記載の放送用ポータブルカメラであって、
前記筐体の前記吸気口と前記ボックスの間に前記ファンの風向に平行に配設された平板を少なくとも一つ備えたことを特徴とする放送用ポータブルカメラ。
【請求項４】
請求項１に記載の放送用ポータブルカメラであって、
前記発熱部品の少なくとも一つに放熱フィンを備えた放熱板を備え、
前記放熱フィンが前記ファンの風向と平行に配設されたことを特徴とする放送用ポータブルカメラ。
【請求項５】
請求項２に記載の放送用ポータブルカメラであって、
前記発熱部品の少なくとも一つに放熱フィンを備えた放熱板を備え、
前記放熱フィンが前記ファンの風向と平行に配設されたことを特徴とする放送用ポータブルカメラ。
【請求項６】
請求項３に記載の放送用ポータブルカメラであって、
前記発熱部品の少なくとも一つに放熱フィンを備えた放熱板を備え、
前記放熱フィンが前記ファンの風向と平行に配設されたことを特徴とする放送用ポータブルカメラ。
【請求項７】
請求項1に記載の放送用ポータブルカメラであって、
前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、
前記周囲覆い物は前記ボックスの前記開口に密接することを特徴とする放送用ポータブルカメラ。
【請求項８】
請求項２に記載の放送用ポータブルカメラであって、
前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、
前記周囲覆い物は前記ボックスの前記開口に密接することを特徴とする放送用ポータブルカメラ。
【請求項９】
請求項３に記載の放送用ポータブルカメラであって、
前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、
前記周囲覆い物は前記ボックスの前記開口に密接することを特徴とする放送用ポータブルカメラ。
【請求項１０】
請求項４に記載の放送用ポータブルカメラであって、
前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、
前記周囲覆い物は前記ボックスの前記開口に密接することを特徴とする放送用ポータブルカメラ。
【請求項１１】
請求項５に記載の放送用ポータブルカメラであって、
前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、
前記周囲覆い物は前記ボックスの前記開口に密接することを特徴とする放送用ポータブルカメラ。
【請求項１２】
請求項６に記載の放送用ポータブルカメラであって、
前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、
前記周囲覆い物は前記ボックスの前記開口に密接することを特徴とする放送用ポータブルカメラ。
【請求項１３】
筐体内に複数の発熱部品を内蔵し、前記筐体内底面に冷却用のファンを配設し、前記ファンを用いて前記発熱部品の排熱を前記筐体底面からおこなう放送用ポータブルカメラにおいて、
前記ファンの吸気側を包み込むように壁面に覆われたボックスを有し、
前記ボックスは、
上面または側面に配設された前記発熱部品の配設位置と発熱量に応じて設けられた複数の開口と、前記ボックスに取り付けられた熱伝導金具とを備え、
前記発熱部品から発生した熱は、前記ボックスの前記複数の開口に向って流れる空気流と、前記発熱部品に熱伝導シートまたは熱伝導グリースを介して接触させた前記熱伝導金具から前記ボックスへの熱伝導とにより、前記筐体外に排熱されることを特徴とする放送用ポータブルカメラ。 
【発明の詳細な説明】
【技術分野】
【０００１】
本発明は、電子装置の冷却構造に係り、特に、放送用カメラに適応可能な冷却構造を有する放送用ポータブルカメラに関する。
【背景技術】
【０００２】
図１２は、従来の放送用カメラの外観を示す前方斜め上方からの斜視図であり、特にカメラマンが容易に持ち運び可能な放送用ポータブルカメラの一例を示すものである。
放送用ポータブルカメラ２００は、カメラマンが肩に担いでレンズを被写体に向けて撮像するものであり、前方にレンズ装着部２０３を有するカメラ本体２０１と、アタッチメント可能なカメラアダプタ部２０２から構成される。カメラ本体２０１の上部には取っ手２０４が備えられ、持ち運びが容易である。カメラ本体２０１とカメラアダプタ部２０２が接続された状態で、下方に湾曲形状を成すショルダーパッド２０５が取り付けられ、カメラマンが肩に担いで操作できるようになっている。【０００３】
図１３は、上述した図１２におけるカメラの内部状態を示すＫ−Ｋ面で切断した垂直断面図である。カメラ本体２０１およびカメラアダプタ部２０２には、それぞれ内部にファン２０６ａおよび２０６ｂが搭載されている。発熱部品を含む各種電気、電子部品を実装した基板２０７ａおよび２０７ｂは、カメラレンズ（図示せず）光軸と直交する様に垂直縦置きに配置されている。【０００４】
カメラ本体２０１では、該カメラ本体２０１下方のショルダーパッド２０５近傍の吸気口２０８ａより外気（冷気）が吸入され、カメラ本体２０１の基板２０７ａに実装された各種電気、電子部品を冷却し、温度上昇した空気が上部に備えられたファン２０６ａによりカメラ本体２０１上部から排気される。
また、カメラアダプタ部２０２では、該カメラアダプタ部２０２下方の吸気口２０８ｂより外気（冷気）が吸入され、該カメラアダプタ部２０２の基板２０７ｂに実装された各種電気、電子部品を冷却し、温度上昇した空気が後方に備えられたファン２０６ｂによってカメラアダプタ部２０２内部より排気され、ダクトを通ってカメラ外部へ下方方向に排気される。
そこで、各々の吸気と排気による風の流れを図中に白抜き矢印で示す。このように、各種電気、電子部品で発生した熱は、おおよそ下方吸気、上方排気による強制空冷によって外部に放出される。【０００５】
しかし、上述した放送用ポータブルカメラ２００においては、カメラ本体２０１とカメラアダプタ部２０２とが仕切り２０９で分断され、それぞれ別々に空冷ファンが設けられ、各種電気、電子部品で発生した熱は強制対流によって外部に放出されている。
そのため、カメラ本体２０１およびカメラアダプタ部２０２それぞれに空冷用のファン２０６ａおよび２０６ｂが配置されていることは、基板の配置に制限が生じ、外部から吸入される冷気の流路が複雑になり、効率よく冷却することができなかった。【０００６】
更に、カメラマン（操作者）がカメラを肩に担いで撮影する際、放送用ポータブルカメラ２００はカメラマンの頭部（図示せず）に接近する位置関係となり、カメラ本体２０１上部に設けられた冷却用排気のファン２０６ａから発生する騒音と排出される暖気（排気）がカメラマンに不快感を与えることから、不快感を与えない様に小さなファンしか用いることができなかった。このため、内蔵する各種電気、電子部品から発生する熱が大きいと、冷却が困難であった。更に、吸入された冷却風がカメラ内部を充分冷却できないと、カメラケースの温度が高くなり、カメラマンに不快感を与えてしまう問題点が生じていた。【０００７】
そこで、上述した問題を解決するため、特許文献１には、カメラの冷却効率を高めると共に、カメラマンがファンから発する騒音と排出される暖気、及びカメラケースの温度上昇などを気にせずカメラ操作が出来るカメラ構造を実現することを目的とした放送用ポータブルカメラが開示されている。
特許文献１には、カメラ筐体の周囲壁に少なくとも一つ設けた吸気口と、前記カメラ筐体の後方底部の排気ファンと、前記吸気口から前記カメラ筐体内部に吸入された冷却風が前記カメラ筐体内の基板間を流れる流路と、前記カメラ筐体内の外周内壁面に沿って流れる流路とを備え、前記冷却風が前記カメラ筐体内部の熱源を冷却し、カメラ筐体壁の温度上昇を抑えて前記排気ファンから斜め下後方に排気されることを特徴とする放送用ポータブルカメラが記載されている。
【先行技術文献】
【特許文献】
【０００８】
【特許文献１】特開２０１４−２１２５１４号公報
【発明の概要】
【発明が解決しようとする課題】
【０００９】
しかしながら、放送用ポータブルカメラにおいては、益々の高機能化によって、内部に実装された各種電気、電子部品による発熱量の増加に伴い、発熱部品のより効率的な放熱構造が求められており、また、更なる小型化が望まれている。【００１０】
本発明は、このような従来の事情に鑑みなされたものであり、複数の発熱部品それぞれに適切な量の冷却風を送ることができ、カメラ筐体内部の冷却効率が高められると共に、カメラマンがファンから発せられる騒音、排出される暖気およびカメラ筐体の温度上昇などに影響されることなくカメラ操作が行える放送用ポータブルカメラを提供することを目的とする。
【課題を解決するための手段】
【００１１】
上記目的を達成するために、本発明に係る放送用ポータブルカメラは、筐体内に複数の発熱部品を内蔵し、前記筐体内底面に冷却用のファンを配設し、前記ファンを用いて前記発熱部品の排熱を前記筐体底面からおこなう放送用ポータブルカメラにおいて、前記ファンの吸気側を包み込むように壁面に覆われたボックスを有し、前記ボックスの上面または側面に前記発熱部品が配設されるとともに、当該発熱部品の配設位置と発熱量に対応した開口が前記ボックスに複数設けられたことを特徴とする。【００１２】
また、上記目的を達成するために、本発明に係る放送用ポータブルカメラは、上記した放送用ポータブルカメラであって、前記ファンを配設した前記筐体の上部面に吸気口を設けたことを特徴とする。【００１３】
また、上記目的を達成するために、本発明に係る放送用ポータブルカメラは、上記した放送用ポータブルカメラであって、前記筐体の前記吸気口と前記ボックスの間に前記ファンの風向に平行に配設された平板を少なくとも一つ備えたことを特徴とする。【００１４】
また、上記目的を達成するために、本発明に係る放送用ポータブルカメラは、上記した放送用ポータブルカメラであって、前記発熱部品の少なくとも一つに放熱フィンを備えた放熱板を備え、  前記放熱フィンが前記ファンの風向と平行に配設されたことを特徴とする。【００１５】
また、上記目的を達成するために、本発明に係る放送用ポータブルカメラは、上記した放送用ポータブルカメラであって、前記放熱用フィン、或は基板に搭載された前記発熱部品の側面周囲を覆い、かつ前記放熱用フィン、或は前記発熱部品に冷却風が流れるように上面及び下面を開口とするコの字状の周囲覆い物を備え、前記周囲覆い物は前記ボックスの前記開口に密接することを特徴とする。【００１６】
また、上記目的を達成するために、本発明に係る放送用ポータブルカメラは、筐体内に複数の発熱部品を内蔵し、前記筐体内底面に冷却用のファンを配設し、前記ファンを用いて前記発熱部品の排熱を前記筐体底面からおこなう放送用ポータブルカメラにおいて、前記ファンの吸気側を包み込むように壁面に覆われたボックスを有し、前記ボックスは、上面または側面に配設された前記発熱部品の配設位置と発熱量に応じて設けられた複数の開口と、前記ボックスに取り付けられた熱伝導金具とを備え、前記発熱部品から発生した熱は、前記ボックスの前記複数の開口に向って流れる空気流と、前記発熱部品に熱伝導シートまたは熱伝導グリースを介して接触させた前記熱伝導金具から前記ボックスへの熱伝導とにより、前記筐体外に排熱されることを特徴とする。
【発明の効果】
【００１７】
以上説明したように、本発明によれば、複数の発熱部品それぞれに適切な量の冷却風を送ることができ、カメラ筐体内部の冷却効率が高められると共に、カメラマンがファンから発せられる騒音、排出される暖気およびカメラ筐体の温度上昇などに影響されることなくカメラ操作が行える放送用ポータブルカメラを提供することができる。
【図面の簡単な説明】
【００１８】
【図１】本発明の一実施形態に係る放送用ポータブルカメラの外観を示す正面図および側面図である。
【図２】本発明の一実施形態に係る放送用ポータブルカメラの外観を示す前方斜め上方からの斜視図である。
【図３】本発明の一実施形態に係る放送用ポータブルカメラの外観を示す前方斜め下方からの斜視図である。
【図４】図１に示すＡ−Ａ面で切断した場合のカメラ本体の断面図である。
【図５】図１に示すＡ−Ａ面で切断した場合のカメラアダプタ部の断面図である。
【図６】図１および図４に示すＢ−Ｂ面で切断した場合のカメラ本体の断面図である。
【図７】図１および図５に示すＣ−Ｃ面で切断した場合のカメラアダプタ部の断面図である。
【図８】図１に示すＤ−Ｄ面で切断した場合のカメラ本体の断面図である。
【図９】図１に示すＤ−Ｄ面で切断した場合のカメラアダプタ部の断面図である。
【図１０】本発明の一実施形態に係る放送用ポータブルカメラのカメラ本体における放熱構造に係わる部品を説明するための分解斜視図である。
【図１１】本発明の一実施形態に係る放送用ポータブルカメラのカメラアダプタ部における放熱構造に係わる部品を説明するための分解斜視図である。
【図１２】従来の放送用カメラの外観を示す前方斜め上方からの斜視図である。
【図１３】図１２におけるカメラの内部状態を示すＫ−Ｋ面で切断した垂直断面図である。
【発明を実施するための形態】
【００１９】
以下、本発明の一実施形態に係る放送用ポータブルカメラについて、図１〜図３を参照して説明する。図１は、本発明の一実施形態に係る放送用ポータブルカメラの外観を示す正面図および側面図であり、（ａ）が正面図、（ｂ）が右側面図である。図２は、本発明の一実施形態に係る放送用ポータブルカメラの外観を示す前方斜め上方からの斜視図である。また、図３は、本発明の一実施形態に係る放送用ポータブルカメラの外観を示す前方斜め下方からの斜視図である。
なお、本発明の一実施形態に係る放送用ポータブルカメラは、前面にレンズを装着しニュース等の取材時に使用する放送用のポータブルカメラを例にして説明するが、放送用ポータブルカメラに限らず、同様の冷却構造を備えた電子装置であれば、本発明を適用することは可能である。
【００２０】
本発明の一実施形態に係る放送用ポータブルカメラ１は、カメラマンが肩に担いでレンズを被写体に向けて撮像するものである。放送用ポータブルカメラ１は、前方にレンズ装着部１８を有するカメラ本体１０と、アタッチメント可能なカメラアダプタ部１００とから構成され、カメラ本体１０の上部には取っ手５０が備えられ、持ち運びが容易である。また、放送用ポータブルカメラ１は、カメラ本体１０とカメラアダプタ部１００が接続された状態で、湾曲形状を成す図示していないショルダーパッドが取り付けられ、カメラマンが肩に担いで操作できるようになっている。
【００２１】
［カメラ本体の構成］
次に、本発明の一実施形態に係る放送用ポータブルカメラ１のカメラ本体１０の構成について、図２、図３、図４、図６、図８および図１０を参照して説明する。図４は、図１に示すＡ−Ａ面で切断した場合のカメラ本体の断面図である。図６は、図１および図４に示すＢ−Ｂ面で切断した場合のカメラ本体の断面図である。図８は、図１に示すＤ−Ｄ面で切断した場合のカメラ本体の断面図である。また、図１０は、本発明の一実施形態に係る放送用ポータブルカメラのカメラ本体における放熱構造に係わる部品を説明するための分解斜視図であり、後方右側斜め上方から見た斜視図である。
【００２２】
カメラ本体１０は、図２、図３、図４、図６および図８に示すように、ボトムフレーム１３、フロントフレーム１１、リアフレーム１２、トップフレーム１４、右側板１６および左側板１７から構成される筐体内に、垂直縦置きに、複数の回路基板（センサー基板３０、回路基板（１）３１、回路基板（２）３２、回路基板（３）３３、バックボード基板３４および回路基板（４）３５）が搭載されている。また、カメラ本体１０の筐体内下部には、回路基板に実装された複数の発熱部品によって温まった内部空気を筐体外に排出するためのファン２０が配設され、筐体上部には、筐体外部から冷えた空気を取り込むための吸気口１９ａおよび吸気口１９ｂを有するトップカバー１９が配設されている。また、回路基板に実装された複数の発熱部品に冷えた空気を流す流路を形成するため、複数の発熱部品によって温まった内部空気をファン２０内に引き込むように、発熱部品等それぞれの配置位置、大きさ、および発熱量に対応した大きさの複数の開口部を有し、ファン２０の吸気側を包み込むようにしたファンボックス２３が配設されている。
【００２３】
フロントフレーム１１には、光学ブロック１８ａを含むレンズ装着部１８が取り付けられ、また、光学ブロック１８ａの後方には、ＣＣＤ（Charge  Coupled  Device）やＣＭＯＳ（Complementary  Metal  Oxide  Semiconductor）等の撮像素子３０ａが実装されたセンサー基板３０がカメラレンズ（図示せず）光軸と直交するように垂直縦置きに配設されている。
また、センサー基板３０の後面側には、撮像素子３０ａから発生した熱を放熱するための放熱フィン３０ｂｂを備えた放熱器３０ｂが配設され、更に、放熱器３０ｂには、放熱フィン３０ｂｂに冷えた空気が集中して流れ込むようにするために、放熱器３０ｂの放熱フィン３０ｂｂの先端および左右側面周囲を覆い、かつ放熱フィン３０ｂｂの上部および下部を開口とするコの字状の囲い金具３０ｃが取り付けられている（図４、図８、図１０参照）。
【００２４】
ファン２０は、図１０に示すように、それぞれ中央に大きな穴を有するファン取付金具（１）２１とファン取付金具（２）２２とで挟むようにして固定され、更に、ファン取付金具（１）２１を介してボトムフレーム１３の図示していない開口部に下方から取り付けられている。なお、ファン取付金具（１）２１とファン２０との間には、フィンガーガード用の金網２４が挟装されている。
【００２５】
ファンボックス２３は、図６および図８に示すように、回路基板（１）３１、回路基板（２）３２および回路基板（３）３３を右側から左側に向って筐体内に装着する際、トップフレーム１４に取り付けた基板取付金具１５のガイドレール１５ｇと対を成して、回路基板それぞれをガイドするための複数のガイドレール２３ｇを備えている。なお、図６に示すように、回路基板（１）３１、回路基板（２）３２および回路基板（３）３３をガイドレール１５ｇおよびガイドレール２３ｇに沿って右側から左側に向って装着すると、バックボード基板３４との間でコネクタ嵌合するようになっている。
また、上記したように、ファンボックス２３には、センサー基板３０に配設された放熱器３０ｂによって温まった内部空気をファン２０の吸気側へ引き込むため、放熱器３０ｂの放熱フィン３０ｂｂ下方の上面に、矩形の開口部２３ａが設けられている。また、ファンボックス２３には、回路基板（２）３２に実装された発熱部品３２ａによって温まった内部空気をファン２０の吸気側へ引き込むため、発熱部品３２ａ下方の上面に、矩形の開口部２３ｂが設けられている。また、ファンボックス２３には、回路基板（３）３３に実装された発熱部品３３ａによって温まった内部空気をファン２０の吸気側へ引き込むため、発熱部品３３ａ下方の上面に、矩形の開口部２３ｃが設けられている。また、ファンボックス２３には、後述する回路基板（４）３５に配設された放熱器３５ｂによって温まった内部空気をファン２０の吸気側へ引き込むため、放熱器３５ｂの放熱フィン３５ｂｂ下方の上面に、矩形の開口部２３ｄが設けられている。
なお、ファンボックス２３に設けられた開口部２３ａ、２３ｂ、２３ｃおよび２３ｄの位置、形状、および大きさは、発熱部品等それぞれの配置位置、大きさ、および発熱量に合わせて適宜設定される。つまり、ファンボックス２３の開口部は、発熱量の大きい電気・電子部品を冷却する場合には面積の大きい開口として通風抵抗を小さくすることにより空気の流れる量を多くし、また、発熱量の小さい電気・電子部品を冷却する場合には面積の小さい開口として通風抵抗を大きくすることにより空気の流れる量を少なくするように設定される。
【００２６】
また、上記した基板取付金具１５には、ファンボックス２３に設けた開口部２３ａ、２３ｂ、２３ｃおよび２３ｄと略対向する位置に、センサー基板３０の放熱器３０ｂ、回路基板（２）３２の発熱部品３２ａ、回路基板（３）３３の発熱部品３３ａおよび回路基板（４）３５の放熱器３５ｂを冷却するための冷えた空気を引き込むための開口部１５ａ、１５ｂ、１５ｃおよび１５ｄが設けられている。
なお、基板取付金具１５に設けられた開口部１５ａ、１５ｂ、１５ｃおよび１５ｄの位置、形状、および大きさは、発熱部品等それぞれの配置位置、大きさ、および発熱量に合わせて適宜設定される。
【００２７】
また、図４、図６および図１０に示すように、バックボード基板３４の左側に、高発熱部品３５ａおよび発熱部品３５ｅが実装された回路基板（４）３５が配設され、回路基板（４）３５には、放熱フィン３５ｂｂを備えた放熱器３５ｂが高発熱部品３５ａに接するように配設されている。また、放熱器３５ｂには、放熱フィン３５ｂｂに冷えた空気が集中して流れ込むようにするために、放熱フィン３５ｂｂの先端および前後側面周囲を覆い、かつ放熱フィン３５ｂｂの上部および下部を開口とするコの字を形成する囲い金具（１）３５ｃおよび囲い金具（２）３５ｄが配設されている。なお、図１０においては、囲い金具３５ｄを透過した状態で示している。
また、回路基板（４）３５の発熱部品３５ｅは、ファンボックス２３に取り付けられた熱伝導金具４１と、熱伝導シート４２を介して接触しており、発熱部品３５ｅから発生した熱を熱伝導金具４１を通じてファンボックス２３に逃がすようにしている。なお、熱伝導シート４２の代わりに、例えばシリコングリースなどの熱伝導グリースを使用してもよい。
【００２８】
［カメラアダプタ部の構成］
次に、本発明の一実施形態に係る放送用ポータブルカメラ１のカメラアダプタ部１００の構成について、図２、図３、図５、図７、図９および図１１を参照して説明する。図５は、図１に示すＡ−Ａ面で切断した場合のカメラアダプタ部の断面図である。図７は、図１および図５に示すＣ−Ｃ面で切断した場合のカメラアダプタ部の断面図である。図９は、図１に示すＤ−Ｄ面で切断した場合のカメラアダプタ部の断面図である。また、図１１は、本発明の一実施形態に係る放送用ポータブルカメラのカメラアダプタ部における放熱構造に係わる部品を説明するための分解斜視図であり、後方左側斜め上方から見た斜視図である。
【００２９】
カメラアダプタ部１００は、図２、図３、図５、図７および図９に示すように、ボトムフレーム１１３、フロントフレーム１１１、リアフレーム１１２、トップフレーム１１４、右側板１１６および左側板１１７から構成される筐体内に、垂直縦置きに配設された複数の回路基板（回路基板（５）１３０、回路基板（６）１３１、回路基板（７）１３２、回路基板（９）１３４および回路基板（１０）１３５）と、水平に配設された回路基板（８）１３３と、電源などの電気部品１４１、電気部品１４２が搭載されている。また、カメラアダプタ部１００の筐体内下部には、回路基板に実装された複数の発熱部品、並びに電気部品によって温まった内部空気を筐体外に排出するためのファン２０が配設され、筐体上部には、筐体外部から冷えた空気を取り込むための吸気口１１９ａおよび吸気口１１９ｂを有するトップカバー１１９が配設されている。また、回路基板に実装された複数の発熱部品、並びに電気部品に冷えた空気を流す流路を形成するため、複数の発熱部品、並びに電気部品によって温まった内部空気をファン２０内に引き込むように、発熱部品等それぞれの配置位置、大きさ、および発熱量に対応した大きさの複数の開口部を有し、ファン２０の吸気側を包み込むようにしたファンボックス１２３が配設されている。
【００３０】
ファン２０は、カメラ本体１０の構成要素のファンと同一であり、図１１に示すように、ファン取付金具（１）２１とファン取付金具（２）２２とで挟むようにして固定され、更に、ファン取付金具（１）２１を介してボトムフレーム１１３の図示していない開口部に下方から取り付けられている。なお、ファン取付金具（１）２１とファン２０との間には、フィンガーガード用の金網２４が挟装されている。
【００３１】
ファンボックス１２３は、図７および図９に示すように、回路基板（５）１３０および回路基板（６）１３１を右側から左側に向って筐体内に装着する際、トップフレーム１１４に取り付けた部品取付金具１１５のガイドレール１１５ｇと対を成して、回路基板それぞれをガイドするための複数のガイドレール１２３ｇを備えている。また、ファンボックス１２３は、上面に、電気部品１４１、電気部品１４２および回路基板（７）１３２が取り付けられた部品取付金具１１８を固定するための図示しない固定金具を備えている。
また、上記したように、ファンボックス１２３には、回路基板（６）１３１に実装された発熱部品１３１ａによって温まった内部空気をファン２０の吸気側へ引き込むため、発熱部品１３１ａ下方の上面に、矩形の開口部１２３ａが設けられている。また、ファンボックス１２３には、電気部品１４１および電気部品１４２によって温まった内部空気をファン２０の吸気側へ引き込むため、電気部品１４１および電気部品１４２下方の上面に、それぞれ矩形の開口部１２３ｂおよび１２３ｃが設けられている。また、ファンボックス１２３には、回路基板（７）１３２および回路基板（８）１３３に実装された電気・電子部品によって温まった内部空気をファン２０の吸気側へ引き込むため、ファンボックス１２３の後方側面に、矩形の開口部１２３ｄが設けられている（図１１参照）。また、ファンボックス１２３には、後述する回路基板（９）１３４に配設された放熱器１３４ｂによって温まった内部空気をファン２０の吸気側へ引き込むため、放熱器１３４ｂの放熱フィン１３４ｂｂ下方の左側面から上面に架けて、鍵形状の開口部１２３ｅが設けられている。
なお、ファンボックス１２３に設けられた開口部１２３ａ、１２３ｂ、１２３ｃ、１２３ｄおよび１２３ｅの位置、形状、および大きさは、発熱部品等それぞれの配置位置、大きさ、および発熱量に合わせて適宜設定される。つまり、ファンボックス１２３の開口部は、発熱量の大きい電気・電子部品を冷却する場合には面積の大きい開口として通風抵抗を小さくすることにより空気の流れる量を多くし、また、発熱量の小さい電気・電子部品を冷却する場合には面積の小さい開口として通風抵抗を大きくすることにより空気の流れる量を少なくするように設定される。
【００３２】
また、上記した部品取付金具１１５には、ファンボックス１２３に設けた開口部１２３ａ、１２３ｂ、１２３ｃおよび１２３ｅと略対向する位置に、回路基板（６）１３１の発熱部品１３１ａ、電気部品１４１および電気部品１４２、並びに回路基板（９）１３４の放熱器１３４ｂを冷却するための冷えた空気を引き込むための開口部１１５ａ、１１５ｂ、１１５ｃおよび１１５ｅが設けられている。
また、トップフレーム１１４には、回路基板（７）１３２および回路基板（８）１３３の電気・電子部品を冷却するための冷えた空気を引き込むための開口部１１４ａが設けられている。
なお、部品取付金具１１５に設けられた開口部１１５ａ、１１５ｂ、１１５ｃおよび１１５ｅ、並びにトップフレーム１１４の開口部１１４ａの位置、形状、および大きさは、発熱部品および電気・電子部品等それぞれの配置位置、大きさ、および発熱量に合わせて適宜設定される。
【００３３】
また、図５、図７および図１１に示すように、カメラアダプタ部１００の筐体内の左側に、高発熱部品１３４ａが実装された回路基板（９）１３４と、当該回路基板（９）１３４が搭載された回路基板（１０）１３５が配設され、回路基板（９）１３４には、放熱フィン１３４ｂｂを備えた放熱器１３４ｂが高発熱部品１３４ａに接するように配設されている。また、放熱器１３４ｂには、放熱フィン１３４ｂｂに冷えた空気が集中して流れ込むようにするために、放熱フィン１３４ｂｂの先端および前後側面周囲を覆い、かつ放熱フィン１３４ｂｂの上部および下部を開口とするコの字を形成する囲い金具１３４ｃが配設されている。なお、図１１においては、囲い金具１３４ｃを透過した状態で示している。
また、図９に示すように、ファンボックス１２３の後方には、電気・電子部品が実装された回路基板（８）１３３が水平に配設されている。
【００３４】
［カメラ本体での発熱部品の冷却方法］
次に、本発明の一実施形態に係る放送用ポータブルカメラ１のカメラ本体１０での発熱部品の冷却方法について、図６および図８を参照して詳細に説明する。なお、図６および図８において、白抜きの矢印は冷却用空気の流れる流路を示している。
カメラ本体１０において、ファン２０を動作させると、図６および図８に示すように、装置外部の冷えた空気がトップカバー１９に設けた吸気口１９ａおよび１９ｂから装置内部に流路Ｗ１およびＷ２で示すように取り込まれ、取り込まれた冷えた空気は、基板取付金具１５に設けた開口部１５ａ、１５ｂ、１５ｃおよび１５ｄからそれぞれのエリア内に流入する。
【００３５】
基板取付金具１５の開口部１５ａから流入した冷えた空気は、センサー基板３０の放熱器３０ｂに取り付けた囲い金具３０ｃで放熱フィン３０ｂｂの先端および左右側面周囲を覆い、かつ放熱フィン３０ｂｂの上部および下部を開口としているため、流路Ｗ３で示すように、放熱器３０ｂの複数ある放熱フィン３０ｂｂの間隙に集中して流れ込むので、放熱器３０ｂから効率良く熱を奪った後、温まった空気は下側に設けられたファンボックス２３の開口部２３ａを通過してファン２０内に流入する。
【００３６】
また、基板取付金具１５の開口部１５ｂから流入した冷えた空気は、流路Ｗ４で示すように、回路基板（１）３１および回路基板（２）３２で挟まれた空間内の発熱部品３２ａ近傍を通過するので、回路基板（２）３２の発熱部品３２ａから発生する熱を効率良く奪った後、温まった空気は下側に設けられたファンボックス２３の開口部２３ｂを通過してファン２０内に流入する。
【００３７】
また、基板取付金具１５の開口部１５ｃから流入した冷えた空気は、流路Ｗ５で示すように、回路基板（２）３２および回路基板（３）３３で挟まれた空間内の発熱部品３３ａ近傍を通過するので、回路基板（３）３３の発熱部品３３ａから発生する熱を効率良く奪った後、温まった空気は下側に設けられたファンボックス２３の開口部２３ｃを通過してファン２０内に流入する。
【００３８】
また、図６に示すように、基板取付金具１５の開口部１５ｄから流入した冷えた空気は、囲い金具（１）３５ｃおよび囲い金具（２）３５ｄで回路基板（４）３５に取り付けた放熱器３５ｂの放熱フィン３５ｂｂの先端および前後側面周囲を覆い、かつ放熱フィン３５ｂｂの上部および下部を開口としているため、流路Ｗ６で示すように、放熱器３５ｂの複数ある放熱フィン３５ｂｂの間隙に集中して流れ込むので、放熱器３５ｂから効率良く熱を奪った後、温まった空気は下側に設けられたファンボックス２３の開口部２３ｄを通過してファン２０内に流入する。なお、図６に示すように、回路基板（４）３５に実装された発熱部品３５ｅから発生した熱は、熱伝導シート４２および熱伝導金具４１を通じてファンボックス２３に熱伝導し放熱される。
【００３９】
そして、ファンボックス２３の開口部２３ａ、２３ｂ、２３ｃおよび２３ｄから流入した温まった空気は、ファンボックス２３からも熱を奪いながら、流路Ｗ８で示すように、ファン２０によって筐体（ボトムフレーム１３）外部に排出される。
【００４０】
［カメラアダプタ部での発熱部品の冷却方法］
次に、本発明の一実施形態に係る放送用ポータブルカメラ１のカメラアダプタ部１００での発熱部品の冷却方法について、図７および図９を参照して詳細に説明する。なお、図７および図９において、白抜きの矢印は冷却用空気の流れる流路を示している。
カメラアダプタ部１００において、ファン２０を動作させると、図７および図９に示すように、装置外部の冷えた空気がトップカバー１１９に設けた吸気口１１９ａおよび１１９ｂから装置内部に流路Ｗ１１およびＷ１２で示すように取り込まれ、取り込まれた冷えた空気は、部品取付金具１１５に設けた開口部１１５ａ、１１５ｂ、１１５ｃ、１１５ｅおよびトップフレーム１１４の開口部１１４ａからそれぞれのエリア内に流入する。
【００４１】
部品取付金具１１５の開口部１１５ａから流入した冷えた空気は、流路Ｗ１３で示すように、回路基板（５）１３０および回路基板（６）１３１で挟まれた空間内の発熱部品１３１ａ近傍を通過するので、回路基板（６）１３１の発熱部品１３１ａから発生する熱を効率良く奪った後、温まった空気は下側に設けられたファンボックス１２３の開口部１２３ａを通過してファン２０内に流入する。
【００４２】
また、部品取付金具１１５の開口部１１５ｂおよび１１５ｃから流入した冷えた空気は、流路Ｗ１４およびＷ１５で示すように、図５および図１１で示すコの字形のベース部１４１ａおよび１４２ａを有する電源等の電気部品１４１および１４２の内部を通過するので、電気部品１４１および１４２全体から発生する熱を効率良く奪った後、流路Ｗ１７およびＷ１８のように、温まった空気は下側に設けられたファンボックス１２３の開口部１２３ｂおよび１２３ｃを通過してファン２０内に流入する。
【００４３】
また、トップフレーム１１４の開口部１１４ａから流入した冷えた空気は、流路Ｗ１６を通って、回路基板（７）１３２とリアフレーム１１２、並びに部品取付金具１１８と回路基板（８）１３３で囲まれた空間内を通過するので、回路基板（７）１３２および回路基板（８）１３３に実装された電気・電子部品から発生する熱を効率良く奪った後、温まった空気は下側に設けられたファンボックス１２３の後方側面に設けた開口部１２３ｄを通過してファン２０内に流入する。
【００４４】
また、図７に示すように、部品取付金具１１５の開口部１１５ｅから流入した冷えた空気は、囲い金具１３４ｃで回路基板（９）１３４に取り付けた放熱器１３４ｂの放熱フィン１３４ｂｂの先端および前後側面周囲を覆い、かつ放熱フィン１３４ｂｂの上部および下部を開口としているため、流路Ｗ１９で示すように、放熱器１３４ｂの複数ある放熱フィン１３４ｂｂの間隙に集中して流れ込むので、放熱器１３４ｂから効率良く熱を奪った後、温まった空気は下側に設けられたファンボックス１２３の上面から左側面に架けて形成された開口部１２３ｅを通過してファン２０内に流入する。
【００４５】
そして、ファンボックス１２３の開口部１２３ａ、１２３ｂ、１２３ｃ、１２３ｄおよび１２３ｅから流入した温まった空気は、ファンボックス１２３からも熱を奪いながら、流路Ｗ２０で示すように、ファン２０によって筐体（ボトムフレーム１１３）外部に排出される。
【００４６】
以上説明したように、本発明によれば、複数の発熱部品それぞれに適切な量の冷却風を送ることができ、カメラ筐体内部の冷却効率が高められると共に、カメラマンがファンから発せられる騒音、排出される暖気およびカメラ筐体の温度上昇などに影響されることなくカメラ操作が行える放送用ポータブルカメラを提供することができる。
【００４７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【００４８】
この出願は、２０１５年３月６日に出願された日本出願特願２０１５−０４４９２１を基礎として優先権の利益を主張するものであり、その開示の全てを引用によってここに取り込む。
【産業上の利用可能性】
【００４９】
本発明は、放送用ポータブルカメラに限らず、同様の冷却構造を備えた電子装置を製造する産業で利用される。
【符号の説明】
【００５０】
１：放送用ポータブルカメラ、１０：カメラ本体、１１：フロントフレーム、１２：リアフレーム、１３：ボトムフレーム、１４：トップフレーム、１５：基板取付金具、１５ａ：開口部、１５ｂ：開口部、１５ｃ：開口部、１５ｄ：開口部、１５ｇ：ガイドレール、１６：右側板、１７：左側板、１８：レンズ装着部、１８ａ：光学ブロック、１９：トップカバー、１９ａ：吸気口、１９ｂ：吸気口、２０：ファン、２１：ファン取付板（１）、２２：ファン取付板（２）、２３：ファンボックス、２３ａ：開口部、２３ｂ：開口部、２３ｃ：開口部、２３ｄ：開口部、２３ｇ：ガイドレール、２４：金網、３０：センサー基板、３０ａ：撮像素子、３０ｂ：放熱器、３０ｂｂ：放熱フィン、３０ｃ：囲い金具、３１：回路基板（１）、３２：回路基板（２）、３２ａ：発熱部品、３３：回路基板（３）、３３ａ：発熱部品、３４：バックボード基板、３５：回路基板（４）、３５ａ：高発熱部品、３５ｂ：放熱器、３５ｂｂ：放熱フィン、３５ｃ：囲い金具（１）、３５ｄ：囲い金具（２）、３５ｅ：発熱部品、４１：熱伝導金具、４２：熱伝導シート、５０：取っ手、１００：カメラアダプタ部、１１１：フロントフレーム、１１２：リアフレーム、１１３：ボトムフレーム、１１４：トップフレーム、１１４ａ：開口部、１１５：部品取付金具、１１５ａ：開口部、１１５ｂ：開口部、１１５ｃ：開口部、１１５ｅ：開口部、１１５ｇ：ガイドレール、１１６：右側板、１１７：左側板、１１８：部品取付金具、１１９：トップカバー、１１９ａ：吸気口、１１９ｂ：吸気口、１２３：ファンボックス、１２３ａ：開口部、１２３ｂ：開口部、１２３ｃ：開口部、１２３ｄ：開口部、１２３ｅ：開口部、１２３ｇ：ガイドレール、１３０：回路基板（５）、１３１：回路基板（６）、１３１ａ：発熱部品、１３２：回路基板（７）、１３３：回路基板（８）、１３４：回路基板（９）、１３４ａ：高発熱部品、１３４ｂ：放熱器、１３４ｂｂ：放熱フィン、１３４ｃ：囲い金具、１３５：回路基板（１０）、１４１：電気部品、１４１ａ：ベース部、１４２：電気部品、１４２ａ：ベース部、２００：放送用ポータブルカメラ、２０１：カメラ本体、２０２：カメラアダプタ部、２０３：レンズ装着部、２０４：取っ手、２０５：ショルダーパッド、２０６ａ：ファン、２０６ｂ：ファン、２０７ａ：基板、２０７ｂ：基板、２０８ａ：吸気口、２０８ｂ：吸気口、２０９：仕切り。
Ｗ１，Ｗ２，Ｗ３，Ｗ４，Ｗ５，Ｗ６，Ｗ８，Ｗ１１，Ｗ１２，Ｗ１３，Ｗ１４，Ｗ１５，Ｗ１６，Ｗ１７，Ｗ１８，Ｗ１９，Ｗ２０：流路。 
【図１】
2016143444.tif 000003
【図２】
2016143444.tif 000004
【図３】
2016143444.tif 000005
【図４】
2016143444.tif 000006
【図５】
2016143444.tif 000007
【図６】
2016143444.tif 000008
【図７】
2016143444.tif 000009
【図８】
2016143444.tif 000010
【図９】
2016143444.tif 000011
【図１０】
2016143444.tif 000012
【図１１】
2016143444.tif 000013
【図１２】
2016143444.tif 000014
【図１３】
2016143444.tif 000015
【国際調査報告】
2016143444.tif 000016
2016143444.tif 000017
2016143444.tif 000018
2016143444.tif 000019